(57)【要約】【課題】コネクタの不完全な嵌合を未然に防ぎ、物品の着脱を容易にし、それ自体を側板等に固定し得る物品ホルダを提供することにある。【解決手段】物品を保持・固定し得る物品ホルダＡにおいて、弾性変形可能な基板１を設け、この基板１にはそれから突出する物品保持爪４、保持した物品１２を固定するための係止爪５およびこの係止爪５を受容するための爪受け部６を設けた。【選択図】　　　　図１
2004129363.tif 000002
【特許請求の範囲】
【請求項１】
物品を保持・固定し得る物品ホルダにおいて、弾性変形可能な基板を設け、この基板にはそれから突出する物品保持爪、保持した物品を固定するための係止爪およびこの係止爪を受容するための爪受け部が設けられることを特徴とする物品ホルダ。
【請求項２】
前記物品保持爪が、前記係止爪の両側の前記基板の端部に対向して前記基板と一体に形成されることを特徴とする請求項１記載の物品ホルダ。
【請求項３】
前記物品保持爪が、その先端に、内側に向けてストッパ部を有することを特徴とする請求項２記載の物品ホルダ。
【請求項４】
前記爪受け部を備えた保持体部分に固定部材が配置されていることを特徴とする請求項１記載の物品ホルダ。
【発明の詳細な説明】
【０００１】
【発明の属する技術分野】
本発明は、物品、とくにコネクタを保持し、固定する物品ホルダに関するものである。
【０００２】
【従来の技術】
特許文献１には、基板に強い振動、衝撃などが生じても、雄側コネクタが雌側コネクタから外れることの無い小型で小スペースのコネクタホルダを提供するために、コネクタを内部に収納するためのコネクタ収納部を有するホルダ本体と、ホルダ本体の開閉口端部にヒンジを介してコネクタを背後から支持して、コネクタが外れるのを防止する押さえ板を一体形成してなるコネクタホルダが開示されている。
【０００３】
このコネクタホルダはホルダ本体のヒンジとは反対側端部に、押さえ板をコネクタの背後に固定するための一対の係止爪と係止爪受けを形成し、押さえ板側の係止爪は、押さえ板の板面からホルダ本体側に延設された弾性変形可能な折り返し部の外側先端部分に形成している。
【０００４】
ホルダ本体には、折り返し部を圧縮した状態で収納する折り返し収納部が形成され、一方、ホルダ本体側の係止爪受けは、折り返し収納部の内壁面に形成されている。
【０００５】
特許文献２には、１対の光ファイバを接続する光コネクタにおいて、屈折率整合剤を用いることなくＰＣ接続をすることが提案され、
光ファイバを保持してなる１対の光コネクタプラグと、前記光コネクタプラグを把持するクランプスプリングと、前記コネクタプラグ同士を位置合わせする２本のガイドピンからなる光コネクタにおいて、前記光コネクタプラグが、先端が鏡面に切断された光ファイバ端面が、前記光コネクタプラグのフェルール端面に突き出ている光コネクタを開示している。
【０００６】
【特許文献１】
特開平１１−５１２５３号公報
【特許文献２】
特開２０００−３１０７２３号公報
【０００７】
【発明が解決しようとする課題】
振動回転などが作用しやすい機器において、ワイヤハーネスを接続するために用いられているコネクタにあっては、その機器において生じる振動や回転などを受けてコネクタが変位、変動しないようにするための手段として、側板などにワイヤハーネスをクランプによって固定することが一般的である。
【０００８】
図９は、従来のコネクタの嵌合状態とワイヤのクランプ状態とコネクタの回転部等への接触を示す正面図である。回転体１１に接触しているコネクタ１２から両側に延びているワイヤハーネス１３が側板１４にクランプ１５によって固定されている。
【０００９】
コネクタ自体が固定されないために、コネクタが回転物に接触することが懸念される。これを防ぐ方法として、特許文献１で提案されているコネクタホルダがあるが、コネクタの保持手段として提案されているものであり、コネクタ嵌合時の不完全なロック状態でも看過される場合がある。
【００１０】
また、この問題を解決するために特許文献２のクランプスプリングが提案されているが、コネクタの保持手段が無くコネクタの浮き上がり等が防止できない。
【００１１】
上記の課題を解決するために、本発明の目的は、コネクタの不完全な嵌合を未然に防ぎ、物品の着脱を容易にし、それ自体を側板等に固定し得る物品ホルダを提供することにある。
【００１２】
【課題を解決するための手段】
前記の課題を解決するために、請求項１記載の発明では、物品を保持・固定し得る物品ホルダにおいて、弾性変形可能な基板を設け、この基板にはそれから突出する物品保持爪、保持した物品を固定するための係止爪およびこの係止爪を受容するための爪受け部が設けられる物品ホルダを最も主要な特徴とする。
【００１３】
請求項２記載の発明では、前記物品保持爪が、前記係止爪の両側の前記基板の端部に対向して前記基板と一体に形成される請求項１記載の物品ホルダを主要な特徴とする。
【００１４】
請求項３記載の発明では、前記物品保持爪が、その先端に、内側に向けてストッパ部を有することを特徴とする請求項２記載の物品ホルダを主要な特徴とする。
【００１５】
請求項４記載の発明では、前記爪受け部を備えた保持体部分に固定部材が配置されている請求項１記載の物品ホルダを主要な特徴とする。
【００１６】
【発明の実施の形態】
以下、図面により本発明の実施の形態を詳細に説明する。図１は本発明の物品ホルダの実施の形態を示す側面図である。図２は図１の物品ホルダの正面図である。図３は図１および図２の物品ホルダの斜視図である。
【００１７】
図１ないし図３において、本発明の物品ホルダＡは、弾性変形可能な基板１からなり、この基板１の下方にはヒンジ部分２を介して保持体部分３が一体に形成されている。基板１の長手方向の左右両側には、対向して複数の物品保持爪４が突出している。
【００１８】
物品保持爪４の先端には内側に向けてストッパ部８を設けている。物品保持爪４が左右に対向する基板１の中央部上方には係止爪５が配置され、この係止爪５は保持体部分３の先端に設けた爪受け部６に係合する。保持体部分３の下側（図示において）にはクランプ（固定部材）７が取り付けてある。
【００１９】
図４は本発明の物品ホルダが保持する物品の例として示す中継コネクタの概略斜視図である。図において、中継コネクタ１２の両側にはワイヤハーネス１３が延びている。
【００２０】
図５は本発明の物品ホルダに物品を保持した状態を示す斜視図である。図において、保持すべき物品である図４の中継コネクタ１２が、弾性変形可能な基板１上に載置されかつ物品保持爪４の先端のストッパ部８で保持されている。
【００２１】
図６は物品を保持した物品ホルダが側板に取り付けられた状態を示す概略図である。図において、物品、すなわち、中継コネクタ１２を保持し、係止爪５と爪受け部６との係合によって固定している物品ホルダＡ自体が固定部材７で側板９に係止・固定されている。
【００２２】
中継コネクタ１２を基板１に収納すると、コネクタ抜け防止爪、すなわち物品保持爪４のストッパ部８により中継コネクタ１２が固定される。基板１を押し付けると、係止爪５が爪受け部６に係止され、中継コネクタ１２が物品ホルダＡに固定される。
【００２３】
図７は基板に設けた物品保持爪の先端にあるストッパ部の形状を示す上面図である。図において、基板１に設けた物品保持爪４の先端にあるストッパ部８の形状は丸みを帯びた突起部分になっている。
【００２４】
図８は基板に設けた物品保持爪の先端にあるストッパ部の変形例の形状を示す上面図である。図において、基板１に設けた物品保持爪４の先端にあるストッパ部８の形状は鋭い突起部分になっている。
【００２５】
【発明の効果】
以上説明したように、請求項１によれば、弾性変形可能な基板を設け、この基板にはそれから突出する物品保持爪、保持した物品を固定するための係止爪およびこの係止爪を受容するための爪受け部を設けたので、物品と物品ホルダが確実に嵌合されないと装着できず、係止爪の弾性力により多少不完全な嵌合状態であっても、矯正されるためにコネクタの不完全嵌合を未然に防ぐことができる物品ホルダを提供する。
【００２６】
請求項２によれば、物品保持爪が、係止爪の両側の基板の端部に対向して前記基板と一体に形成されるので、保持すべき物品の着脱が容易である物品ホルダを提供する。
【００２７】
請求項３によれば、基板と一体に形成された弾性部材からなっている物品保持爪が、その先端に、内側に向けてストッパ部を有するので、物品の着脱が容易である物品ホルダを提供する。
【００２８】
請求項４によれば、爪受け部を備えた保持体部分に固定部材が配置されているので、物品ホルダ自体を側板等に固定でき、ワイヤークランプが削減できてコストダウンになる。
【図面の簡単な説明】
【図１】本発明の物品ホルダの実施の形態を示す側面図である。
【図２】図１の物品ホルダの正面図である。
【図３】図１および図２の物品ホルダの斜視図である。
【図４】本発明の物品ホルダが保持する物品の例として示す中継コネクタの概略斜視図である。
【図５】本発明の物品ホルダに物品を保持した状態を示す斜視図である。
【図６】物品を保持した物品ホルダが側板に取り付けられた状態を示す概略図である。
【図７】基板に設けた物品保持爪の先端にあるストッパ部の形状を示す上面図である。
【図８】基板に設けた物品保持爪の先端にあるストッパ部の変形例の形状を示す上面図である。
【図９】従来のコネクタの嵌合状態とワイヤのクランプ状態とコネクタの回転部への接触を示す正面図である。
【符号の説明】
Ａ　物品ホルダ
１　基板
２　ヒンジ部分
３　保持体部分
４　物品保持爪
５　係止爪
６　爪受け部
７　固定部材（クランプ）
８　ストッパ部
９　側板
１２　物品（中継コネクタ）
【図１】
2004129363.tif 000003
【図２】
2004129363.tif 000004
【図３】
2004129363.tif 000005
【図４】
2004129363.tif 000006
【図５】
2004129363.tif 000007
【図６】
2004129363.tif 000008
【図７】
2004129363.tif 000009
【図８】
2004129363.tif 000010
【図９】
2004129363.tif 000011